(57)【要約】  【課題】      木材等に墨打ちを行う場合に使用する墨壷に関するものてあって、障害物のある狭個所でも正確な墨打ち作業を行ない得るようにすることを目的とするものである。  【解決手段】  墨壷本体の先端部に墨糸押え具を出し入れ自在の状態として取り付けるとともに、墨糸押え具に、先端側を向いた墨糸係合凹部と、斜め前方側を向いた墨糸係合凹部を形成した構成とし、また、墨壷本体の先端部に、連続した凹凸部を形成したホルダーを取り付ける一方、ホルダー内に、ホルダーの凹凸部に係合する凸部を形成したバネ片を組込むとともに、先端部に墨糸押え具を形成した移動体を配置させ、移動体の上方部に配置させた操作具により、バネ片の凸部の弾発力を制御し得るように構成した墨壷。【選択図】    図１
2005254363.tif 000002
【特許請求の範囲】
【請求項１】
墨壷本体１の先端部に墨糸押え具６を出し入れ自在の状態として取り付けるとともに、墨糸押え具６に、斜め前方側を向いた墨糸係合凹部４を形成したことを特徴とする墨壷。
【請求項２】
墨壷本体１の先端部に、連続した凹凸部３を形成したホルダー１１を取り付ける一方、ホルダー１１内に、ホルダー１１の凹凸部３に係合する凸部１２ｂを形成したバネ片１２を組込むとともに、先端部に墨糸押え具を形成した移動体９を配置させ、移動体９の上方部に配置させた操作具２により、凸部１２ｂの弾発力を制御し得るように形成したことを特徴とする墨壷。
【発明の詳細な説明】
【技術分野】
【０００１】
この発明は、木材等に墨打ち作業を行なう際に使用する墨壷の改良に関するものである。
【背景技術】
【０００２】
木材等に対して墨打ち作業を行なう場合、最近では、ケースの後方部に渦巻バネで付勢されたリールを取り付け、リールに巻き取られた墨糸をケース内の墨汁室を通過させてケースの先端口に導き、墨糸の先端部にカルコに結び付けた構成の墨壷が使用されているのである。
【０００３】
このような構成の墨壷には、墨糸の出口となるケースの先端口付近に、先端辺部に凹部を形成した糸押さえ具を取り付けたり、あるいは、先端口の縁部に墨糸が入り込む凹部を形成し、墨打ち作業の際は、カルコの刺針を木材等の墨付け個所に刺止めた後、墨糸を引き出し、墨糸の基部を凹部に係合して固定した後、墨糸を指ではじき、墨糸に染込んだ墨汁を木材に転写させるという方法で使用されるのである。
【発明の開示】
【発明が解決しようとする課題】
【０００４】
このような墨壷を使用して墨打ち作業を行なう場合、墨糸の基部を確実に固定出来ないと、正確なを墨打ち作業は不可能となるのであるが、墨糸の基部の固定を、先端に凹部を形成した糸押さえ具や、先端口の縁部に形成した凹部により行なう構成とした場合、広い平坦な面上への作業は問題なく行なえるのであるが、狭まった個所で、後ろや上部に壁面等があるような個所や、両側部に柱がある壁面上に墨打ちを行なうような場合、墨つぼのリール部や先端口の縁部が壁の角や柱に当って仕舞い、墨糸の基部を墨付け個所に正確に固定することが出来ないという不便さがあるのである。
【０００５】
この発明は、従来の構成の墨壷にみられた上記のような使用勝手の悪さを解消しようとするものである。
【課題を解決するための手段】
【０００６】
この発明は、木材等に墨打ち作業を行なう際に使用する墨壷に関するものであって、墨壷本体の先端部に墨糸押え具を出し入れ自在の状態として取り付けるとともに、墨糸押え具に、先端側を向いた墨糸係合凹部と、斜め前方側を向いた墨糸係合凹部を形成した構成とし、また、墨壷本体の先端部に、連続した凹凸部を形成したホルダーを取り付ける一方、ホルダー内に、ホルダーの凹凸部に係合する凸部を形成したバネ片を組込むとともに、先端部に墨糸押え具を形成した移動体を配置させ、移動体の上方部に配置させた操作具により、バネ片の凸部の弾発力を制御し得るように構成することによって、従来の墨壷に見られた使用勝手の悪さを解消しようとするものである。
【発明の効果】
【０００７】
この発明に係る墨壷は、上記のような構成であって、どのような個所でも墨糸の基部を確実に固定でき、正確な墨打ち作業を行ない得るという利点があるのである。
【０００８】
すなわち、墨打ちしようとする個所の最終点の横側や上方側に壁や柱等の障害物があるような場合、墨壷のケース部分やリール部分が障害物に当らない方向に配置させなければならないのであるが、この発明に係る墨壷にあっては、墨糸押え具６の前部と斜め位置に、墨糸を係合させる凹部４・５が形成された構成となっており、墨つぼ全体をどのような方向に配置させた場合でも、墨糸の基部を確実に係合させることが可能となり、障害物があるような個所での墨打ち作業を手際良く、正確に行ない得るという利点があるのである。
【０００９】
また、墨糸押え具６が出し入れ可能に形成されていることにより、墨壷のケース先端部が障害となって墨付け個所を見通すことが出来ないような場合や、先端部が壁面等に当るような場合には、墨糸押え具６を前方側に押し出して作業することが可能になり、墨打ち作業を手際良く行ない得るという利点があり、また、墨糸押え具６の移動状態は、操作具２により制御される構成となっているため、墨糸を係合させて押えた場合でも、墨糸押え具が不用意に入り込んで墨打ち位置がずれてしまうといったトラブルを防止し得るという利点があるのである。
【実施例】
【００１０】
図面に基づいて、この発明の実施例を説明すると、墨壷本体１は、図１並びに図２に示すとおり、内部に墨汁室を形成するとともに、先端に向かってやや先細り状となり、先端部に開口部８を形成した本体ケース１６と、ゼンマイを組込んだ墨糸巻き取りリール１７とから成り、本体ケース１６の後端部にリール１７を取り付け、リール１７に巻き取った墨糸を、墨汁室を通過させて本体ケース１６の先端口８に導いた構成となっており、本体ケース１６の先端上方部に、先端側を向いた墨糸係合凹部５と、斜め前方側を向いた墨糸係合凹部４・４を形成した墨糸押え具６を出し入れ操作自在の状態として取り付けた構成となっているのである。
【００１１】
すなわち、墨糸押え具６は、ホルダー１１の内部に移動自在の状態として納め得る形の板片の先端側に、墨糸を係合させ得る凹部５と、斜め前方を向いた凹部４・４と、横方向を向いた凹部２１・２１が形成されており、また、後端部付近には、移動体９に連結させる孔２０が形成された構成となっているのである。
【００１２】
移動体９は、下方部をホルダー１１内に移動自在の状態として係合させるための横溝１９・１９が形成されており、先端部には、墨糸押え具６を連結するための突起１０が形成されており、また、その内部には、バネ片１２を差し入れる空間部が形成されており、差し入れられたバネ片１２は、空間部内に形成された支持突起によりバネ片１２の胴部１２ａを挟み込むことによって固定されており、バネ片１２を組込んだ後、下方開口部に蓋１５を取り付ける構成となっており、また、上面部には、空間部に通じる長孔１３・１３が形成されており、その長孔１３に、操作具２に形成した突起１４を差し入れることによって、操作具２を摺動自在の状態として取り付け得る構成となっているのである。
【００１３】
バネ片１２は、弾性板片の両側部に屈曲部を形成することによって凸部１２ｂ・１２ｂを形成した構成となっており、移動体９の空間部内に組込んだ場合、その凸部１２ｂ・１２ｂが移動体９の横溝１９・１９から突出した状態となるとともに、操作具２を前後方側に移動させた場合、操作具２の下方部に形成した突起１４がバネ片１２の斜面部に当りバネ片１２の弾発力を弱め、移動体９をスムーズに移動させ得るとともに、通常の状態では、移動体９を確実に止め得るように構成されているのである。
【００１４】
ホルダー１１は、移動体９の下方部を摺動自在の状態で差し入れ得る形に折り曲げ形成した金属板により構成されており、上両側部の延出部２２には、連続した凹凸部３が形成されており、バネ片１２を組込んだ移動体９を差し入れるた場合、バネ片１２の凸部１２ｂが凹凸部３に入り込んだ状態となるよにう構成されており、移動体９に墨糸押え具６を取り付けてホルダー１１に組込みだ後、ホルダー１１を本体ケース１６の先端部に形成した凹部７内に圧入することにより、墨壷に取り付ける構成となっているのである。ホルダー１１の先端部に形成した突出部１８は、墨糸押え具６の下面を支える支持部である。
【図面の簡単な説明】
【００１５】
【図１】墨つぼの構成を示す斜視図である。
【図２】墨糸押え具を出した状態を示す墨つぼ斜視図である。
【図３】墨つぼの構成を示す分解斜視図である。
【図４】墨糸押え具、移動体、ホルダーの構成を示す斜視図である。
【符号の説明】
【００１６】
１    墨つぼ本体
２    操作具
３    凹凸部
４    墨糸係合凹部
５    墨糸係合凹部
６    墨糸押え具
９    移動体
１１    ホルダー
１２    バネ片
１２ｂ  凸部
【図１】
2005254363.tif 000003
【図２】
2005254363.tif 000004
【図３】
2005254363.tif 000005
【図４】
2005254363.tif 000006